(57)【要約】【課題】駆動伝達部材の回転方向の動きを可動部材の複雑な動きに変換させることができる可動役物装置の動作機構を提供する。【解決手段】その回転中心から偏心した位置にプレート第一軸部１３２及びプレート第二軸部１３３が設けられるプレート状部材１３０（駆動伝達部材）と、プレート状部材１３０に設けられたプレート第一軸部１３２が摺動可能に係合する第一右部開口部１６１が設けられる第一可動部材１４０と、プレート状部材１３０に設けられたプレート第二軸部１３３が係脱可能に係合する第二切り欠き部１８３が設けられる第二可動部材１５０と、を具備し、プレート状部材１３０が原点位置から第一地点（Ｂ点）まで回転する場合と、プレート状部材１３０が第一地点から第二地点（Ｃ点）まで回転する場合とで、プレート第一軸部１３２又はプレート第二軸部１３３の一方を介してモータ１２０からの駆動力を伝達するものである。【選択図】図１９
2014076082.tif 000002
【特許請求の範囲】
【請求項１】
ベース部材摺動受部が設けられるベース部材と、
前記ベース部材に駆動源の駆動力により回転可能に支持され、その回転中心から偏心した位置に第一突起及び第二突起が設けられる駆動伝達部材と、
前記ベース部材に移動可能に支持され、前記駆動伝達部材に設けられた第一突起が摺動する第一可動部材摺動受部が設けられる第一可動部材と、
前記第一可動部材に移動可能に支持され、前記駆動伝達部材に設けられた第二突起が係脱可能に係合する第二可動部材係合受部と、前記ベース部材に設けられたベース部材摺動受部に摺動する第三突起とが設けられる第二可動部材と、
を具備し、
前記駆動伝達部材が原点位置から第一地点まで回転する場合、
前記駆動伝達部材に設けられた第一突起は、前記第一可動部材摺動受部を押圧することなく摺動し、
前記駆動伝達部材に設けられた第二突起は、前記第二可動部材係合受部に係合していることにより当該第二可動部材係合受部を介して前記第二可動部材に駆動力を伝達し、当該第二可動部材を前記第一可動部材に対して相対的に移動させ、
前記駆動伝達部材が第一地点から第二地点まで回転する場合、
前記駆動伝達部材に設けられた第一突起は、前記第一可動部材摺動受部を押圧しながら摺動し、当該第一可動部材摺動受部を介して前記第一可動部材に駆動力を伝達し、当該第一可動部材を前記第二可動部材と共に前記ベース部材に対して相対的に移動させ、
前記駆動伝達部材に設けられた第二突起は、前記第一可動部材と共に移動する第二可動部材の移動に伴って前記第二可動部材係合受部との係合を解除し、当該解除により前記第二可動部材係合受部を介した駆動力の伝達を遮断し、
前記第二可動部材に設けられた第三突起は、当該第一可動部材と共に移動する第二可動部材の移動に伴って前記ベース部材摺動受部を摺動し、前記第二突起と前記第二可動部材係合受部との係合の解除にもかかわらず前記駆動伝達部材が原点位置から第一地点まで回転する場合に当該第二突起により移動された当該第二可動部材の状態を保持する、
ことを特徴とする可動役物装置の動作機構。
【発明の詳細な説明】
【技術分野】
【０００１】
本発明は、遊技機に用いられる可動役物装置の動作機構の技術に関する。
【背景技術】
【０００２】
従来、遊技機において、可動部材と、駆動源の駆動力により回転可能に支持され、その回転中心から偏心した位置に突起が設けられる駆動伝達部材と、を具備する可動役物装置の動作機構の技術が公知となっている。例えば、特許文献１に記載の如くである。
【０００３】
特許文献１に記載された技術においては、駆動源の駆動力により駆動伝達部材を回転させ、当該回転により突起を介して前記駆動力を可動部材に伝達し、当該可動部材を直線方向に動かしている。すなわち、特許文献１においては、駆動伝達部材の回転方向の動きを可動部材の直線方向の動きに変換させることができる技術が開示されている。
【先行技術文献】
【特許文献】
【０００４】
【特許文献１】特開２０１２−１０８１５号公報
【発明の概要】
【発明が解決しようとする課題】
【０００５】
しかしながら、特許文献１に記載された技術では、駆動伝達部材の回転方向の動きを可動部材の直線方向の動きに変換させることができるが、さらに複雑な動きに変換させることができない点で問題であった。
【０００６】
本発明は、上記のような問題点に鑑みてなされたものであり、その解決しようとする課題は、駆動伝達部材の回転方向の動きを可動部材の複雑な動きに変換させることができる可動役物装置の動作機構を提供することである。
【課題を解決するための手段】
【０００７】
本発明の解決しようとする課題は以上の如くであり、次にこの課題を解決するための手段を説明する。
【０００８】
即ち、請求項１においては、ベース部材摺動受部が設けられるベース部材と、前記ベース部材に駆動源の駆動力により回転可能に支持され、その回転中心から偏心した位置に第一突起及び第二突起が設けられる駆動伝達部材と、前記ベース部材に移動可能に支持され、前記駆動伝達部材に設けられた第一突起が摺動する第一可動部材摺動受部が設けられる第一可動部材と、前記第一可動部材に移動可能に支持され、前記駆動伝達部材に設けられた第二突起が係脱可能に係合する第二可動部材係合受部と、前記ベース部材に設けられたベース部材摺動受部に摺動する第三突起とが設けられる第二可動部材と、を具備し、前記駆動伝達部材が原点位置から第一地点まで回転する場合、前記駆動伝達部材に設けられた第一突起は、前記第一可動部材摺動受部を押圧することなく摺動し、前記駆動伝達部材に設けられた第二突起は、前記第二可動部材係合受部に係合していることにより当該第二可動部材係合受部を介して前記第二可動部材に駆動力を伝達し、当該第二可動部材を前記第一可動部材に対して相対的に移動させ、前記駆動伝達部材が第一地点から第二地点まで回転する場合、前記駆動伝達部材に設けられた第一突起は、前記第一可動部材摺動受部を押圧しながら摺動し、当該第一可動部材摺動受部を介して前記第一可動部材に駆動力を伝達し、当該第一可動部材を前記第二可動部材と共に前記ベース部材に対して相対的に移動させ、前記駆動伝達部材に設けられた第二突起は、前記第一可動部材と共に移動する第二可動部材の移動に伴って前記第二可動部材係合受部との係合を解除し、当該解除により前記第二可動部材係合受部を介した駆動力の伝達を遮断し、前記第二可動部材に設けられた第三突起は、当該第一可動部材と共に移動する第二可動部材の移動に伴って前記ベース部材摺動受部を摺動し、前記第二突起と前記第二可動部材係合受部との係合の解除にもかかわらず前記駆動伝達部材が原点位置から第一地点まで回転する場合に当該第二突起により移動された当該第二可動部材の状態を保持するものである。
【発明の効果】
【０００９】
本発明の効果として、以下に示すような効果を奏する。
【００１０】
請求項１においては、駆動伝達部材の回転方向の動きを可動部材（第一可動部材及び第二可動部材）の複雑な動きに変換させることができる。
【図面の簡単な説明】
【００１１】
【図１】本発明の一実施形態に係る動作機構を有した可動役物装置を具備する遊技機の全体的な構成を示した正面図。
【図２】同じく、遊技機の窓枠が開放された状態の構成を示した正面斜視図。
【図３】同じく、遊技盤の構成を示した正面図。
【図４】同じく、可動役物装置の構成を示した正面図。
【図５】同じく、可動役物装置の動作機構の構成を示した正面図。
【図６】同じく、正面斜視図。
【図７】同じく、背面斜視図。
【図８】同じく、ベース部材の構成を示した正面図。
【図９】（ａ）同じく、プレート状部材の構成を示した正面図。（ｂ）同じく、背面図。
【図１０】（ａ）同じく、第一可動部材の第一可動本体部の構成を示した正面図。（ｂ）同じく、背面図。
【図１１】（ａ）同じく、第一可動部材の第一可動役物部の構成を示した正面図。（ｂ）同じく、背面図。
【図１２】（ａ）同じく、第二可動部材の第二可動本体部の構成を示した正面図。（ｂ）同じく、背面図。
【図１３】同じく、可動役物装置の動作機構の構成を示した背面図。
【図１４】同じく、可動役物装置の動作機構の一部の構成を示した正面図。
【図１５】同じく、プレート状部材と第二可動部材との動作関係を示した正面模式図。
【図１６】同じく、プレート状部材と第一可動部材との動作関係を示した正面模式図。
【図１７】同じく、プレート第一軸部及びプレート第二軸部が移動する場合の動作機構を示した背面模式図。
【図１８】同じく、図１７における状態から、プレート第一軸部及びプレート第二軸部が移動する場合の動作機構を示した背面模式図。
【図１９】同じく、図１８における状態から、プレート第一軸部及びプレート第二軸部が移動する場合の動作機構を示した背面模式図。
【図２０】同じく、図１９における状態から、プレート第一軸部及びプレート第二軸部が移動する場合の動作機構を示した背面模式図。
【図２１】同じく、図２０における状態から、プレート第一軸部及びプレート第二軸部が移動する場合の動作機構を示した背面模式図。
【図２２】同じく、可動役物装置の動作後の遊技機の全体的な構成を示した正面図。
【発明を実施するための形態】
【００１２】
まず、本発明の一実施形態に係る動作機構を有した可動役物装置１００を具備する遊技機１の全体的な構成について、図面を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１３】
遊技機１は、図１から図３が示すように、主として、外枠２と、中枠３と、窓枠４と、により構成される枠体に、各種の遊技部品が取り付けられて形成される。
【００１４】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１５】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００１６】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００１７】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００１８】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００１９】
次に、遊技盤６の構成について、図３及び図４を用いてさらに詳細に説明する。
【００２０】
遊技盤６は、図３に示すように、遊技板１０と、ガイドレール１１と、センター役物１２と、図柄表示装置１３と、可変入賞装置１４と、大入賞装置１５と、アウト口１６と、可動役物装置１００等により構成される。
【００２１】
遊技板１０は、四隅が適宜に切り欠けられた略平板状に形成される部材である。遊技板１０には、遊技盤６を構成する各種の遊技部品が取り付けられる。遊技板１０は、アクリル樹脂やポリカーボネート（ＰＣ）等の透過性を有する部材によって形成される。
【００２２】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２３】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２４】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２５】
可変入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。可変入賞装置１４は、遊技領域２５の中央下部であって図柄表示装置１３の下方に配置される。なお、可変入賞装置１４は、前記開放状態において始動入賞口１４ａに遊技球が入球（入賞）すると図示せぬ賞球払出装置によって所定数の遊技球（賞球）が払い出されるように構成される。
【００２６】
大入賞装置１５は、所定の大当たり抽選により大当たりが選択されると、大入賞口１５ａを開放して遊技球が入球（入賞）可能に構成される装置である。大入賞装置１５は、遊技領域２５の右部であって図柄表示装置１３の右下方に配置される。なお、大入賞装置１５は、開放した大入賞口１５ａに遊技球が入球すると図示せぬ賞球払出装置によって所定数の遊技球（賞球）が払い出されるように構成される。
【００２７】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００２８】
図３及び図４に示す可動役物装置１００は、本発明に係る動作機構を有する可動役物装置の一実施形態である。可動役物装置１００は、所定の演出動作を行うことにより、遊技者に視覚的な印象（インパクト）を与え、その遊技者の興趣を高めるものである。可動役物装置１００は、液晶画面２６の右方に配置されると共に、前後方向においてセンター役物１２と液晶画面２６との間、すなわちセンター役物１２よりも後方であって液晶画面２６よりも前方に配置される。可動役物装置１００は、主として、ベース部材１１０と、モータ１２０と、プレート状部材１３０と、第一可動部材１４０と、第二可動部材１５０と、により構成される。以下では、可動役物装置１００が有する動作機構について説明する。
【００２９】
まず、図４から図８を用いて、ベース部材１１０の構成について説明する。
なお、以下の図面においては、説明の便宜上、説明に必要が無い部材の記載を適宜に省略するものとする。
【００３０】
ベース部材１１０は、可動役物装置１００の基礎となる部材である。ベース部材１１０は、可動役物装置１００の後部に配置される。ベース部材１１０は、上下方向を長手方向とする細長い平板状に形成される。ベース部材１１０は、その板面を前後方向へ向けて配置される。ベース部材１１０には、図８に示すように、ベース中央開口部１１１と、ベース上部開口部１１２と、ベース下部開口部１１３と、が設けられる。
【００３１】
ベース中央開口部１１１は、第二可動部材１５０に設けられる第二上部軸部１８４が摺動するための長孔である。ベース中央開口部１１１は、ベース部材１１０を前後方向に貫通して形成される。ベース中央開口部１１１は、ベース部材１１０の略中央に形成される。ベース中央開口部１１１は、中央開口縦部１１１ａと、中央開口横部１１１ｂと、により構成される。
【００３２】
中央開口縦部１１１ａは、長手方向を上下方向として形成される。すなわち、中央開口縦部１１１ａは、下端部から上方へ向けて延出される。
なお、以下では、中央開口縦部１１１ａにおける下端部から上端部までの延出方向を「第一の方向」と称する。
【００３３】
中央開口横部１１１ｂは、長手方向を左右方向として形成される。すなわち、中央開口横部１１１ｂは、右端部から左方へ向けて延出される。中央開口横部１１１ｂの右端部は、中央開口縦部１１１ａの上端部に接続される。
なお、以下では、中央開口横部１１１ｂにおける右端部から左端部までの延出方向を「第二の方向」と称する。
【００３４】
このように、ベース中央開口部１１１は、中央開口縦部１１１ａ及び中央開口横部１１１ｂにより、第一の方向及び第二の方向に延出された正面視で略Ｌ字状に形成される。
【００３５】
ベース上部開口部１１２は、第一可動部材１４０に設けられる第一役物軸部１７２が摺動するための長孔である。ベース上部開口部１１２は、ベース部材１１０を前後方向に貫通して形成される。ベース上部開口部１１２は、ベース部材１１０の上部であって、ベース中央開口部１１１の上方に形成される。ベース上部開口部１１２は、正面視で長手方向を左右方向から若干傾けた方向（概ね左右方向）として形成される。より詳細には、ベース上部開口部１１２は、左端部から右斜め上方へ向けて緩やかな角度で延出される。
【００３６】
ベース下部開口部１１３は、第一可動部材１４０に設けられる第一下部軸部１６４が摺動するための長孔である。ベース下部開口部１１３は、ベース部材１１０を前後方向に貫通して形成される。ベース下部開口部１１３は、ベース部材１１０の下部であって、ベース中央開口部１１１の下方に二つ形成される。以下では、ベース部材１１０の左下部に形成されるベース下部開口部１１３を「ベース下部左開口部１１３ａ」と、ベース部材１１０の右下部に形成されるベース下部開口部１１３を「ベース下部右開口部１１３ｂ」と、それぞれ称する。
【００３７】
ベース下部左開口部１１３ａは、前記第一下部軸部１６４のうち第一下部左軸部１６４ａを摺動するための長孔である。ベース下部左開口部１１３ａは、正面視で長手方向を左右方向から若干傾けた方向（概ね左右方向）として形成される。より詳細には、ベース下部左開口部１１３ａは、左端部から右斜め上方へ向けて緩やかな角度で延出される。
【００３８】
ベース下部右開口部１１３ｂは、前記第一下部軸部１６４のうち第一下部右軸部１６４ｂを摺動するための長孔である。ベース下部右開口部１１３ｂは、正面視で長手方向を左右方向から若干傾けた方向（概ね左右方向）として形成される。より詳細には、ベース下部右開口部１１３ｂは、左端部から右斜め下方へ向けて緩やかな角度で延出される。
【００３９】
次に、図７を用いて、モータ１２０の構成について説明する。
【００４０】
モータ１２０は、可動役物装置１００の駆動源となる部材である。モータ１２０は、ベース部材１１０の後側面に固定される。モータ１２０の出力軸は、ベース部材１１０を貫通するように前方へ向けて突設される。モータ１２０の出力軸の先端には、図示せぬ出力ギヤが固定される。
【００４１】
次に、図６及び図７と、図９及び図１４とを用いて、プレート状部材１３０の構成について説明する。
【００４２】
プレート状部材１３０は、モータ１２０の駆動力により回転可能に支持される部材である。プレート状部材１３０は、ベース部材１１０の前方に配置される。プレート状部材１３０は、ベース部材１１０の前側面のベース中央開口部１１１とベース下部開口部１１３との間に支持される。プレート状部材１３０は、主として、プレート部１３１と、プレート第一軸部１３２と、プレート第二軸部１３３と、プレートギヤ部１３４と、プレート回転軸１３５と、により構成される。
【００４３】
プレート部１３１は、プレート状部材１３０の主たる構造体である。プレート部１３１は、略真円の平板状に形成される。プレート部１３１は、その板面を前後方向へ向けて配置される。プレート部１３１は、その軸心位置を回転中心として左右回りに回転可能に構成される。
【００４４】
プレート第一軸部１３２は、第一可動部材１４０に設けられる第一右部開口部１６１に摺動するための部材である。プレート第一軸部１３２は、プレート部１３１の前側面の右部から前方へ向けて突出される。このように、プレート第一軸部１３２は、プレート部１３１の回転中心から所定距離だけ偏心した位置に配置される。
【００４５】
プレート第二軸部１３３は、第二可動部材１５０に設けられる第二切り欠き部１８３に係脱可能に係合するための部材である。プレート第二軸部１３３は、プレート部１３１の前側面の左部から前方へ向けて突出される。プレート第二軸部１３３は、プレート部１３１の回転中心から所定距離だけ偏心した位置に配置される。
【００４６】
なお、プレート第二軸部１３３は、プレート第一軸部１３２とは異なる位置に配置される。より詳細には、本実施系形態では、プレート第二軸部１３３及びプレート第一軸部１３２は、プレート部１３１の外周縁部付近で、当該プレート部１３１の周方向の長さを概ね等分するような位置に配置される。（プレート第二軸部１３３とプレート第一軸部１３２との間の周方向の長さがが、出来るだけ長くなるように配置される。）
【００４７】
プレートギヤ部１３４は、モータ１２０からの駆動力が伝達される歯車である。プレートギヤ部１３４は、その軸心を前後方向へ向けて左右回りに回転可能に構成される。プレートギヤ部１３４は、プレート部１３１の後側面に一体的に固定される。プレートギヤ部１３４は、その軸心位置がプレート部１３１の軸心の延長線上に配置される。プレートギヤ部１３４は、前記モータ１２０の出力軸に固定された出力ギヤに噛合される。
【００４８】
プレート回転軸１３５は、プレート状部材１３０をベース部材１１０に回転可能に支持するための部材である。プレート回転軸１３５は、プレートギヤ部１３４の後側面の中央から後方へ向けて突出される。プレート回転軸１３５は、その先端部がベース部材１１０の前側面に回転可能に貫装される。
【００４９】
このようなプレート状部材１３０の構成により、モータ１２０が駆動すると、当該モータ１２０からの駆動力がプレートギヤ部１３４に伝達される。そして、プレートギヤ部１３４に伝達された駆動力により、プレート状部材１３０が軸心位置を中心として、ベース部材１１０に対して左右回りに回転可能となる。すなわち、プレート状部材１３０は、モータ１２０からの駆動力が伝達され、当該モータ１２０の駆動力により回転可能に支持される。なお、プレート状部材１３０が左右回りに回転すると、当該回転に伴ってプレート第一軸部１３２及びプレート第二軸部１３３が左右回りに回転することになる。
なお、プレート状部材１３０は、本発明に係る「駆動伝達部材」の一実施形態であり、プレート状（平板状）に形成されるものに限定するものではない。
【００５０】
次に、図５から図７、及び図１０、図１１を用いて、第一可動部材１４０の構成について説明する。
【００５１】
第一可動部材１４０は、ベース部材１１０に移動可能に支持される部材である。第一可動部材１４０は、可動役物装置１００の前部であって、プレート状部材１３０よりも前方に配置される。第一可動部材１４０は、主として、第一可動本体部１６０と、第一可動役物部１７０と、により構成される。
【００５２】
第一可動本体部１６０は、上下方向を長手方向とする細長い平板状に形成される。第一可動本体部１６０は、その板面を前後方向へ向けて配置される。第一可動本体部１６０には、第一右部開口部１６１と、第一左部開口部１６２と、第一上部軸部１６３と、第一下部軸部１６４と、第一下部カバー部材１６５と、が設けられる。
【００５３】
第一右部開口部１６１は、プレート状部材１３０に設けられるプレート第一軸部１３２が摺動するための部材である。第一右部開口部１６１は、第一可動本体部１６０の後側面の右下部に形成される。第一右部開口部１６１は、第一可動本体部１６０の後側面から後方へ向けて立設された壁部により形成される。より詳細には、第一右部開口部１６１は、前記壁部により、概ね上下方向に細長く開口される筒状に形成される。第一右部開口部１６１は、プレート第一軸部１３２の先端部が挿入され、当該プレート第一軸部１３２と係合される。また、第一右部開口部１６１は、その内径がプレート第一軸部１３２の外径よりも若干大きく形成され、当該プレート第一軸部１３２が係合した状態で長手方向に摺動可能となる。なお、第一右部開口部１６１は、図１０に示すように、第一右部開口上部１６１ａと、第一右部開口下部１６１ｂと、により構成される。
【００５４】
第一右部開口上部１６１ａは、上端部から概ね下方へ向けて延出される。第一右部開口上部１６１ａは、上下中途部が右方に若干膨出するように、すなわち円弧状に形成される。
【００５５】
第一右部開口下部１６１ｂは、第一右部開口上部１６１ａの下端部から下方へ向けて延出される。第一右部開口下部１６１ｂの上端部は、第一右部開口上部１６１ａの下端部に接続される。
【００５６】
なお、以下では、第一右部開口部１６１の上端部から下端部までの延出方向、すなわち第一右部開口上部１６１ａの上端部から第一右部開口下部１６１ｂの下端部までの延出方向を「第三の方向」と称する。
【００５７】
第一左部開口部１６２は、第二可動部材１５０に設けられる第二左部軸部１８５が摺動するための長孔である。第一左部開口部１６２は、第一可動本体部１６０を前後方向に貫通して形成される。第一左部開口部１６２は、第一可動本体部１６０の左部に二つ形成される。以下では、第一可動本体部１６０の左上部に形成される第一左部開口部１６２を「第一左部上開口部１６２ａ」と、第一可動本体部１６０の左下部に形成される第一左部開口部１６２を「第一左部下開口部１６２ｂ」と、それぞれ称する。
【００５８】
第一左部上開口部１６２ａは、前記第二左部軸部１８５のうち第二左部上軸部１８５ａが摺動するための長孔である。第一左部上開口部１６２ａは、正面視で長手方向を上下方向として形成される。
【００５９】
第一左部下開口部１６２ｂは、前記第二左部軸部１８５のうち第二左部下軸部１８５ｂが摺動するための長孔である。第一左部下開口部１６２ｂは、正面視で長手方向を上下方向として形成される。
【００６０】
第一上部軸部１６３は、第一可動本体部１６０を第一可動役物部１７０（より詳細には、第一上部カバー部１７３）に回転（揺動）可能に支持させるための部材である。第一上部軸部１６３は、第一可動本体部１６０の前側面の上部から前方へ向けて突出される。第一上部軸部１６３は、第一上部カバー部１７３の図示せぬ挿入孔に貫装される。これによって、第一可動本体部１６０は、第一上部カバー部１７３（ひいては、第一可動役物部１７０）に、第一上部軸部１６３を介して回転（揺動）可能に連結される（図１３参照）。
【００６１】
第一下部軸部１６４は、ベース部材１１０に設けられるベース下部開口部１１３に摺動するための部材である。第一下部軸部１６４は、第一可動本体部１６０の後側面の下部から後方へ向けて突出される。第一下部軸部１６４は、第一可動本体部１６０の下部に二つ形成される。以下では、第一可動本体部１６０の左下部に形成される第一下部軸部１６４を「第一下部左軸部１６４ａ」と、第一可動本体部１６０の右下部に形成される第一下部軸部１６４を「第一下部右軸部１６４ｂ」と、それぞれ称する。
【００６２】
第一下部左軸部１６４ａは、前記ベース下部開口部１１３のうちベース下部左開口部１１３ａに摺動するための部材である。第一下部左軸部１６４ａは、先端部がベース下部左開口部１１３ａに挿入され、当該ベース下部左開口部１１３ａと係合される。また、第一下部左軸部１６４ａは、その外径がベース下部左開口部１１３ａの内径よりも若干小さく形成され、当該ベース下部左開口部１１３ａに係合した状態で長手方向に摺動可能となる。
【００６３】
第一下部右軸部１６４ｂは、前記ベース下部開口部１１３のうちベース下部右開口部１１３ｂに摺動するための部材である。第一下部右軸部１６４ｂは、先端部がベース下部右開口部１１３ｂに挿入され、当該ベース下部右開口部１１３ｂと係合される。また、第一下部右軸部１６４ｂは、その外径がベース下部右開口部１１３ｂの内径よりも若干小さく形成され、当該ベース下部右開口部１１３ｂに係合した状態で長手方向に摺動可能となる。
【００６４】
第一下部カバー部材１６５は、図４に示すように、遊技者に視認されるための部材である。第一下部カバー部材１６５は、後方に向けて開口したカバー状に形成される。第一下部カバー部材１６５は、第一可動本体部１６０を前方から覆って、当該第一可動本体部１６０に固定される。第一下部カバー部材１６５の前側面には、遊技者に視認させるための装飾が施される。本実施形態では、第一下部カバー部材１６５の前側面には、女性の上半身を模した装飾が施される。
【００６５】
第一可動役物部１７０は、可動役物装置１００の演出動作を、遊技者に視認させるための部材である。第一可動役物部１７０は、第一可動部材１４０の上部であって、第一可動本体部１６０の上方に配置される。第一可動役物部１７０は、主として、第一役物基板１７１と、第一上部カバー部１７３と、により構成される。
【００６６】
第一役物基板１７１は、図１１に示すように、第一可動役物部１７０の基礎となる部材である。第一役物基板１７１は、概ね円状に形成される。第一役物基板１７１は、その板面を前後方向へ向け、第一可動本体部１６０の上方に配置される。第一役物基板１７１には、電飾用の基板等が配置される。第一役物基板１７１には、第一役物軸部１７２が設けられる。
【００６７】
第一役物軸部１７２は、ベース部材１１０に設けられるベース上部開口部１１２に摺動するための部材である。第一役物軸部１７２は、第一役物基板１７１の後側面の左下部から後方へ向けて突出される。第一役物軸部１７２は、先端部がベース上部開口部１１２に挿入され、当該ベース上部開口部１１２と係合される。また、第一役物軸部１７２は、その外径がベース上部開口部１１２の内径よりも若干小さく形成され、当該ベース上部開口部１１２に係合した状態で長手方向に摺動可能となる。
【００６８】
第一上部カバー部１７３は、図４に示すように、遊技者に視認されるための部材である。第一上部カバー部１７３は、後方に向けて開口したカバー状に形成される。第一上部カバー部１７３は、第一役物基板１７１を前方から覆って、当該第一役物基板１７１に固定される。第一上部カバー部１７３の前側面には、遊技者に視認させるための装飾が施される。本実施形態では、第一上部カバー部１７３の前側面には、女性の顔を模した装飾が施される。第一上部カバー部１７３の下端部（遊技者に視認できない場所）であって第一役物軸部１７２よりも下方には図示せぬ挿入孔が形成され、第一可動本体部１６０に設けられる第一上部軸部１６３により回転可能に連結される。
【００６９】
このような第一可動部材１４０の構成により、（第一可動役物部１７０に設けられる）第一役物軸部１７２がベース部材１１０に設けられるベース上部開口部１１２に長手方向（概ね左右方向）に係合した状態で摺動可能とされ、かつ、（第一可動本体部１６０に設けられる）第一下部左軸部１６４ａ及び第一下部右軸部１６４ｂがベース部材１１０に設けられるベース下部左開口部１１３ａ及びベース下部右開口部１１３ｂに長手方向（概ね左右方向）にそれぞれ係合した状態で摺動可能とされる。すなわち、第一可動部材１４０は、ベース部材１１０に（概ね左右方向へ向けて）移動可能に支持される。
【００７０】
次に、図５から図７、及び図１２、図１４を用いて、第二可動部材１５０の構成について説明する。
【００７１】
第二可動部材１５０は、第一可動部材１４０に移動可能に支持される部材である。第二可動部材１５０は、プレート状部材１３０の前方であって、第一可動部材１４０の後方に配置される。第二可動部材１５０は、主として、第二可動本体部１８０と、第二可動役物部１９０と、により構成される。
【００７２】
第二可動本体部１８０は、上下方向へ向けて適宜に屈曲された細長い平板状に形成される。第二可動本体部１８０は、その板面を前後方向へ向けて配置される。より詳細には、第二可動本体部１８０は、下端部から上方へ向けて延出される第二可動本体下部１８２と、当該第二可動本体下部１８２の上端部から右方へ向けて正面視で略Ｌ字状に延出される第二可動本体上部１８１と、により形成される。第二可動本体部１８０には、第二切り欠き部１８３と、第二上部軸部１８４と、第二左部軸部１８５と、第二ラック部１８６と、が設けられる。
【００７３】
第二切り欠き部１８３は、プレート状部材１３０に設けられるプレート第二軸部１３３に係脱可能に係合されるための切り欠きである。第二切り欠き部１８３は、第二可動部材１５０の中央下部に形成される。より詳細には、第二切り欠き部１８３は、第二可動本体下部１８２の上部の右端部に形成される。第二切り欠き部１８３は、第二可動本体下部１８２の右端部が左方へ向けて切り欠かれ、前後方向に貫通するように形成される。第二切り欠き部１８３は、プレート第二軸部１３３の先端部が挿入され、当該プレート第二軸部１３３と係合される。また、第二切り欠き部１８３は、その内径がプレート第二軸部１３３の外径よりも若干大きく形成される。したがって、第二切り欠き部１８３に係合した状態のプレート第二軸部１３３が右方へ向けて移動すれば、当該第二切り欠き部１８３とプレート第二軸部１３３との係合した状態が解除されるように構成される。
【００７４】
第二上部軸部１８４は、ベース部材１１０に設けられるベース中央開口部１１１に摺動するための部材である。第二上部軸部１８４は、第二可動本体部１８０の後側面の上端部に形成される。より詳細には、第二上部軸部１８４は、第二可動本体上部１８１の後側面の上端部から後方へ向けて突出される。第二上部軸部１８４は、ベース中央開口部１１１に先端部が挿入され、当該ベース中央開口部１１１と係合される。また、第二上部軸部１８４は、その外径がベース中央開口部１１１の内径よりも若干小さく形成され、当該ベース中央開口部１１１に係合した状態で長手方向に摺動可能となる。
【００７５】
第二左部軸部１８５は、第一可動部材１４０に設けられる第一左部開口部１６２に摺動するための部材である。第二左部軸部１８５は、第二可動本体部１８０の前側面に形成される。より詳細には、第二左部軸部１８５は、第二可動本体下部１８２の前側面の上下端部から前方へ向けて突出される。すなわち、第二左部軸部１８５は、第二可動本体下部１８２の前側面に二つ形成される。以下では、第二可動本体下部１８２の前側面の上端部に形成される第二左部軸部１８５を「第二左部上軸部１８５ａ」と、第二可動本体下部１８２の前側面の下端部に形成される第二左部軸部１８５を「第二左部下軸部１８５ｂ」と、それぞれ称する。
【００７６】
第二左部上軸部１８５ａは、前記第一左部開口部１６２のうち第一左部上開口部１６２ａに摺動するための部材である。第二左部上軸部１８５ａは、先端部が第一左部上開口部１６２ａに挿入され、当該第一左部上開口部１６２ａと係合される。また、第二左部上軸部１８５ａは、その外径が第一左部上開口部１６２ａの内径よりも若干小さく形成され、当該第一左部上開口部１６２ａに係合した状態で長手方向に摺動可能となる。
【００７７】
第二左部下軸部１８５ｂは、前記第一左部開口部１６２のうち第一左部下開口部１６２ｂに摺動するための部材である。第二左部下軸部１８５ｂは、先端部が第一左部下開口部１６２ｂに挿入され、当該第一左部下開口部１６２ｂと係合される。また、第二左部下軸部１８５ｂは、その外径が第一左部下開口部１６２ｂの内径よりも若干小さく形成され、当該第一左部下開口部１６２ｂに係合した状態で長手方向に摺動可能となる。
【００７８】
第二ラック部１８６は、第二可動役物部１９０に設けられる役物ギヤ部１９２が噛合される部材である。第二ラック部１８６は、第二可動本体部１８０の左下部に形成される。より詳細には、第二ラック部１８６は、第二可動本体下部１８２の左下端部から上方へ沿って形成される。
【００７９】
第二可動役物部１９０は、図４に示すように、可動役物装置１００の演出動作を、遊技者に視認させるための部材である。第二可動役物部１９０は、第二可動部材１５０の概ね左部に配置される部材であり、第二可動本体部１８０の概ね左方に配置される。第二可動役物部１９０は、第一可動部材１４０に設けられる第一下部カバー部材１６５に左右回りに回転（移動）可能に支持される。第二可動役物部１９０は、主として、棒状役物１９１と、役物ギヤ部１９２と、により構成される。
【００８０】
役物ギヤ部１９２は、図１３に示すように、第二可動本体部１８０に設けられる第二ラック部１８６に噛合される部材である。役物ギヤ部１９２の回転軸は、第一可動部材１４０に設けられる第一下部カバー部材１６５を貫通するように前方へ向けて突設される。役物ギヤ部１９２は、第二ラック部１８６から駆動力が伝達されと、左右回りに回転される。
【００８１】
棒状役物１９１は、遊技者に視認させるための部材である。棒状役物１９１は、細長い棒状に形成される。棒状役物１９１の前側面には、遊技者に視認させるための装飾が施される。棒状役物１９１の下端部は、役物ギヤ部１９２の回転軸に固定される。すなわち、役物ギヤ部１９２が左右回りに回転すると、当該役物ギヤ部１９２の回転と共に棒状役物１９１が左右回りに回転されるように構成される。
【００８２】
このような第二可動部材１５０の構成により、（第二可動本体部１８０に設けられる）第二左部上軸部１８５ａ及び第二左部下軸部１８５ｂが（第一可動部材１４０に設けられる）第一左部上開口部１６２ａ及び第一左部下開口部１６２ｂに長手方向（上下方向）にそれぞれ係合した状態で摺動可能とされる。すなわち、第二可動部材１５０は、第一可動部材１４０に移動可能に支持される。
【００８３】
次に、図１５から図２１を用いて、可動役物装置１００の動作機構の態様（動作態様）について説明する。
【００８４】
なお、可動役物装置１００の動作態様においては、前述したような各部材の配置を原点位置として、当該原点位置から動作が開始されるものとする。
【００８５】
図１５は、プレート状部材１３０（より詳細には、プレート第一軸部１３２及びプレート第二軸部１３３）と第二可動部材１５０との動作関係を示す模式図である。図１６は、プレート状部材１３０（より詳細には、プレート第一軸部１３２及びプレート第二軸部１３３）と第一可動部材１４０との動作関係を示す模式図である。なお、図１５では、原点位置にある第二可動部材１５０を二点鎖線で示し、プレート第二軸部１３３が点Ｂに移動した場合の第二可動部材１５０を実線で示している。図１７及び図１８は、プレート第一軸部１３２及びプレート第二軸部１３３が点Ａから点Ｂまで移動する場合の、可動役物装置１００の動作態様を示す模式図である。
【００８６】
図１５及び図１６の点Ａで示すプレート第一軸部１３２及びプレート第二軸部１３３は、プレート状部材１３０が原点位置にある場合、すなわち、図１７に示すように、可動役物装置１００が未だ動作してない状態を示している。なお、原点位置では、プレート状部材１３０に設けられるプレート第二軸部１３３は、第二可動部材１５０に設けられる第二切り欠き部１８３と係合した状態である。また、プレート状部材１３０に設けられるプレート第一軸部１３２は、第一可動部材１４０に設けられる第一右部開口部１６１と係合した状態である。
【００８７】
可動役物装置１００が動作を開始し、モータ１２０が駆動されると、当該モータ１２０からの駆動力がプレート状部材１３０に伝達される。そして、当該伝達された駆動力によりプレート状部材１３０が右回りに回転し、当該回転に伴ってプレート第一軸部１３２及びプレート第二軸部１３３が点Ａから右回りに移動する。なお、プレート第一軸部１３２及びプレート第二軸部１３３が移動する場合、当該プレート第一軸部１３２及び当該プレート第二軸部１３３の移動軌跡は、プレート状部材１３０の軸心位置を回転中心とした円弧状となる。
【００８８】
図１５及び図１６の点Ｂで示すプレート第一軸部１３２及びプレート第二軸部１３３は、プレート状部材１３０が原点位置である場合から所定の時間だけ回転した状態を示している。
【００８９】
図１５に示すように、プレート第二軸部１３３が点Ａから点Ｂまで移動する場合、当該プレート第二軸部１３３は係合した状態の第二切り欠き部１８３を保持すると共に右斜め上方へ向けて押圧するように構成される。すなわち、プレート第二軸部１３３が点Ａから点Ｂまで移動する場合、モータ１２０からプレート状部材１３０に伝達された駆動力が、プレート第二軸部１３３及び第二切り欠き部１８３を介して第二可動部材１５０に伝達されることになる。
【００９０】
なお、第二切り欠き部１８３が設けられる第二可動部材１５０（より詳細には、第二可動本体部１８０）は、第一可動部材１４０に上下方向に移動可能に支持される。したがって、プレート第二軸部１３３が点Ａから点Ｂまで移動する場合、当該プレート第二軸部１３３の右斜め上方へ向けての押圧により（プレート状部材１３０からプレート第二軸部１３３を介して伝達される駆動力により）、第二可動部材１５０は第一可動部材１４０に対して上方へ向けて移動することになる。なお、第二可動部材１５０が上方へと移動した状態は、第二切り欠き部１８３に係合した状態のプレート第二軸部１３３により保持される。
【００９１】
そして、プレート第二軸部１３３が点Ｂに到達すると、図１５及び図１８に示すように、第二可動部材１５０は原点位置よりも上方に位置することになる。なお、プレート第二軸部１３３は、第二切り欠き部１８３内の位置において原点位置にあった場合よりも右方へと移動し、当該第二切り欠き部１８３内の開口付近に配置されることになる。
【００９２】
他方、図１６に示すように、プレート第一軸部１３２が点Ａから点Ｂまで移動する場合、当該プレート第一軸部１３２は係合した状態の第一右部開口部１６１を押圧することなく摺動するように構成される。より詳細には、プレート第一軸部１３２が係合した状態の第一右部開口部１６１（より詳細には、第一右部開口部１６１のうち第一右部開口上部１６１ａ）は、円弧状に形成される。そして、プレート第一軸部１３２の移動軌跡は、第一右部開口上部１６１ａの形状（第三の方向）と重複するように形成される。したがって、プレート第一軸部１３２は、係合した状態の第一右部開口上部１６１ａを押圧することなく摺動することになる。すなわち、プレート第一軸部１３２が点Ａから点Ｂまで移動する場合、モータ１２０からプレート状部材１３０に伝達された駆動力が、第一可動部材１４０に伝達されないことになる。
【００９３】
なお、図１８に示すように、プレート第二軸部１３３が点Ａから点Ｂまで移動して第二可動部材１５０が上方へ向けて移動した場合、第二可動部材１５０（より詳細には、第二可動本体部１８０）に設けられる第二上部軸部１８４は、ベース中央開口部１１１（より詳細には、中央開口縦部１１１ａ）を係合した状態で摺動するように構成される。すなわち、第二上部軸部１８４の移動軌跡は、中央開口縦部１１１ａの第一の方向と重複するように形成される。そして、プレート第一軸部１３２が点Ｂに到達すると、第一上部軸部１６３は、中央開口縦部１１１ａの上端部に位置することになる。
【００９４】
図１５及び図１６の点Ｃで示すプレート第一軸部１３２及びプレート第二軸部１３３は、プレート状部材１３０が点Ｂにある場合から所定の時間だけ回転した状態を示している。
【００９５】
図１９から図２１は、プレート第一軸部１３２及びプレート第二軸部１３３が点Ｂから点Ｃまで移動する場合の、可動役物装置１００の動作態様を示す模式図である。
【００９６】
図１５に示すように、プレート第二軸部１３３が点Ｂから点Ｃまで移動する場合、当該プレート第二軸部１３３は第二切り欠き部１８３との係合した状態が解除されることになる。より詳細には、プレート第二軸部１３３は点Ｂにある場合、第二切り欠き部１８３内の開口付近に配置されている。したがって、プレート第二軸部１３３は第二切り欠き部１８３内の開口付近から右斜め上方へと移動することにより、当該第二切り欠き部１８３との係合した状態が解除されることになる。その結果、プレート状部材１３０から第二可動部材１５０への駆動力の伝達が、遮断されることになる。
【００９７】
他方、図１６に示すように、プレート第一軸部１３２が点Ｂから点Ｃまで移動する場合、当該プレート第一軸部１３２は係合した状態の第一右部開口部１６１を左斜め下方へ向けて押圧しながら摺動することになる。より詳細には、プレート第一軸部１３２が点Ｂから点Ｃまで移動する場合、当該プレート第一軸部１３２は第一右部開口部１６１のうち第一右部開口上部１６１ａから第一右部開口下部１６１ｂへと移動する。ここで、第一右部開口下部１６１ｂは、長手方向を上下方向として（第三の方向に延出するように）形成されているのに対し、プレート第一軸部１３２は左斜め下方へ（第三の方向とは異なる方向へ）向けて移動する。すなわち、プレート第一軸部１３２の移動方向（軌跡）は、第一右部開口下部１６１ｂの形状と重複しないため、当該第一右部開口下部１６１ｂを左斜め下方へ向けて押圧しながら摺動することになる。その結果、プレート第一軸部１３２が点Ｂから点Ｃまで移動する場合、モータ１２０からプレート状部材１３０に伝達された駆動力が、プレート第一軸部１３２及び第一右部開口部１６１を介して第一可動部材１４０に伝達されることになる。
【００９８】
なお、第一右部開口部１６１が設けられる第一可動部材１４０は、ベース部材１１０に概ね左右方向に向けて移動可能に支持される。したがって、プレート第一軸部１３２が点Ｂから点Ｃまで移動する場合、図１９から図２１に示すように、当該プレート第一軸部１３２の左斜め下方（図２０及び図２１では、概ね左方）へ向けての押圧により（プレート状部材１３０からプレート第一軸部１３２を介して伝達される駆動力により）、第一可動部材１４０はベース部材１１０に対して概ね左方へ向けて移動することになる。また、第一可動部材１４０が左方へ向けて移動すると、当該第一可動部材１４０に支持される第二可動部材１５０も当該第一可動部材１４０の移動に伴って左方へ向けて移動することになる。
【００９９】
このように、第二可動部材１５０は、第一可動部材１４０の移動に伴って左方へ向けて移動することになる。すなわち、当初、第二可動部材１５０は、第二切り欠き部１８３にプレート状部材１３０に設けられるプレート第二軸部１３３が係合していたものの、当該第二切り欠き部１８３が右方へ向けて開口されているため（第二可動部材１５０の左方へ向けての移動により、第二切り欠き部１８３とプレート第二軸部１３３との係合した状態が解除可能であるため）、左方へ向けての移動が妨げられないことになる。
【０１００】
なお、図１９から図２１に示すように、プレート第一軸部１３２が点Ｂから点Ｃまで移動して第一可動部材１４０が概ね左方へ向けて移動した場合、当該第一可動部材１４０の移動に伴って移動する第二可動本体部１８０に設けられる第二上部軸部１８４は、ベース中央開口部１１１のうち中央開口横部１１１ｂを係合した状態で摺動する。すなわち、第二上部軸部１８４の移動方向は、中央開口縦部１１１ａの第二の方向と重複するように形成される。その結果、プレート第一軸部１３２が点Ａから点Ｂまで移動する場合にプレート第二軸部１３３により移動された第二可動部材１５０の状態（第二可動部材１５０が上方へと移動した状態）は、プレート第二軸部１３３と第二切り欠き部１８３との係合した状態が解除されたにもかかわらず、ベース中央開口部１１１に摺動する（係合した状態の）第二上部軸部１８４により保持される（第二可動部材１５０が下方へと移動しない）ことになる。
【０１０１】
このように、プレート第一軸部１３２及びプレート第二軸部１３３が点Ｂから点Ｃまで移動する場合、プレート状部材１３０から第二可動部材１５０への駆動力の伝達が遮断される一方、プレート状部材１３０から第一可動部材１４０への駆動力の伝達が開始されるように構成される。より詳細には、プレート第一軸部１３２及びプレート第二軸部１３３が点Ａから点Ｂに到達するまではプレート状部材１３０からの駆動力はプレート第二軸部１３３を介して第二可動部材１５０に伝達される一方、プレート第一軸部１３２及びプレート第二軸部１３３が点Ｂから点Ｃに到達するまではプレート状部材１３０からの駆動力はプレート第一軸部１３２を介して第一可動部材１４０に伝達されるように構成される。
【０１０２】
次に、図１７から図２２を用いて、第一可動役物部１７０の動作態様について説明する。
【０１０３】
図１９から図２１に示すように、プレート第一軸部１３２が点Ｂから点Ｃまで移動する場合、第一可動部材１４０（より詳細には、第一可動本体部１６０）はベース部材１１０に対して概ね左方へ向けて移動することになる。そして、第一可動本体部１６０の移動に伴い、第一上部軸部１６３を介して第一可動役物部１７０が概ね左方へ向けて移動することになる。なお、第一可動役物部１７０は、ベース部材１１０に設けられるベース上部開口部１１２に係合した状態で摺動可能とされている。したがって、ベース上部開口部１１２の下方に配置されている第一上部軸部１６３により第一可動役物部１７０が概ね左方へ向けて引っ張られることにより、当該第一可動役物部１７０の姿勢がベース上部開口部１１２に係合する第二上部軸部１８４を支点として正面視で右回りに回転することになる。すなわち、第一可動役物部１７０は、概ね左方へ向けて移動するに従って、正面視で右回りに回転する角度が大きくなるように構成される。
【０１０４】
こうして、第一可動役物部１７０は、図１９から図２１に示すように、女性の上半身を模した装飾が施される第一下部カバー部材１６５と、女性の顔を模した装飾が施される第一上部カバー部１７３とが、図柄表示装置１３の液晶画面２６の前方へ向けて移動すると共に、第一上部カバー部１７３が徐々に正面視で右回りに回転することにより、女性が顔を上げるような印象を遊技者に与え、ひいては遊技者に視覚的な印象を与えることができる（図２２参照）。
【０１０５】
このように、第一可動役物部１７０は、第一可動部材１４０がベース部材１１０に相対的に移動する場合に、プレート状部材１３０からプレート第一軸部１３２を介して伝達される駆動力により動作できるように構成される。なお、図１７及び図１８に示すように、第一可動役物部１７０は、第一可動部材１４０がベース部材１１０に相対的に移動しない場合、すなわちプレート状部材１３０からプレート第二軸部１３３を介して伝達される駆動力では動作しないように構成される。
【０１０６】
次に、図１７から図２２を用いて、第二可動役物部１９０の動作態様について説明する。
【０１０７】
図１７及び図１８に示すように、プレート第二軸部１３３が点Ａから点Ｂまで移動する場合、第二可動部材１５０（より詳細には、第二可動本体部１８０）は第一可動部材１４０に対して上方へ向けて移動することになる。そして、第二可動本体部１８０の移動に伴って第二ラック部１８６が上方へ向けて移動し、当該第二ラック部１８６に噛合される役物ギヤ部１９２が回転することになる。そして、役物ギヤ部１９２が回転すると、棒状役物１９１が回転することになる。すなわち、第二可動役物部１９０は、第二可動本体部１８０が第一可動部材１４０に相対的に移動する場合に、プレート状部材１３０からプレート第二軸部１３３を介して伝達される駆動力により動作することができるように構成される。本実施形態では、棒状役物１９１は、左方へ向けて、すなわち図柄表示装置１３の液晶画面２６の前方へ向けて移動し、遊技者に視覚的な印象を与えることができる（図２２参照）。なお、図１９から図２１に示すように、第二可動役物部１９０は、第二可動本体部１８０が第一可動部材１４０に相対的に移動しない場合、すなわちプレート状部材１３０からプレート第一軸部１３２を介して伝達される駆動力では動作しないように構成される。
【０１０８】
以上のように、可動役物装置１００の動作機構は、
ベース部材摺動受部（ベース中央開口部１１１）が設けられるベース部材１１０と、
前記ベース部材に駆動源（モータ１２０）の駆動力により回転可能に支持され、その回転中心から偏心した位置に第一突起（プレート第一軸部１３２）及び第二突起（プレート第二軸部１３３）が設けられる駆動伝達部材（プレート状部材１３０）と、
前記ベース部材に移動可能に支持され、前記駆動伝達部材に設けられた第一突起が摺動する第一可動部材摺動受部（第一右部開口部１６１）が設けられる第一可動部材１４０と、
前記第一可動部材に移動可能に支持され、前記駆動伝達部材に設けられた第二突起が係脱可能に係合する第二可動部材係合受部（第二切り欠き部１８３）と、前記ベース部材に設けられたベース部材摺動受部に摺動する第三突起（第二上部軸部１８４）とが設けられる第二可動部材１５０と、
を具備し、
前記駆動伝達部材が原点位置から第一地点（Ｂ点）まで回転する場合、
前記駆動伝達部材に設けられた第一突起は、前記第一可動部材摺動受部を押圧することなく摺動し、
前記駆動伝達部材に設けられた第二突起は、前記第二可動部材係合受部に係合していることにより当該第二可動部材係合受部を介して前記第二可動部材に駆動力を伝達し、当該第二可動部材を前記第一可動部材に対して相対的に移動させ、
前記駆動伝達部材が第一地点から第二地点（Ｃ点）まで回転する場合、
前記駆動伝達部材に設けられた第一突起は、前記第一可動部材摺動受部を押圧しながら摺動し、当該第一可動部材摺動受部を介して前記第一可動部材に駆動力を伝達し、当該第一可動部材を前記第二可動部材と共に前記ベース部材に対して相対的に移動させ、
前記駆動伝達部材に設けられた第二突起は、前記第一可動部材と共に移動する第二可動部材の移動に伴って前記第二可動部材係合受部との係合を解除し、当該解除により前記第二可動部材係合受部を介した駆動力の伝達を遮断し、
前記第二可動部材に設けられた第三突起は、当該第一可動部材と共に移動する第二可動部材の移動に伴って前記ベース部材摺動受部を摺動し、前記第二突起と前記第二可動部材係合受部との係合の解除にもかかわらず前記駆動伝達部材が原点位置から第一地点まで回転する場合に当該第二突起により移動された当該第二可動部材の状態を保持する、ものである。
【０１０９】
このような構成により、可動役物装置１００の動作機構は、プレート状部材１３０に回転中心から偏心した位置に配置されるプレート第一軸部１３２及びプレート第二軸部１３３を用いて、当該プレート状部材１３０の回転方向の動きを可動部材（第一可動部材１４０及び第二可動部材１５０）の複雑な動きに変換させることができる。
【０１１０】
また、従来の技術のように、例えばプレート状部材（駆動伝達部材）に回転中心から偏心した位置に一つの軸部を配置した場合には、当該プレート状部材は、（半周回転以上の動きは軸部が原点位置に戻るような動きとなるため）半周回転までの動きにより、駆動力を可動部材に伝達することになる。そして、例えば前記プレート状部材の半周回転までの動きにより可動部材に駆動力を伝達し、可動部材の複数の動きに変換させたとしても、前記複数の動きはプレート状部材の半周回転までの動きによる駆動力に基づくものなので、動きが小さくなる点で問題であった。
【０１１１】
しかしながら、本発明に係るプレート状部材１３０では、プレート第二軸部１３３及びプレート第一軸部１３２は、プレート部１３１の外周縁部付近で、当該プレート部１３１の周方向の長さを概ね等分するような位置に配置され、当該プレート第二軸部１３３及びプレート第一軸部１３２のそれぞれの動きによる駆動力を可動部材（第一可動部材１４０及び第二可動部材１５０）の動きに用いることができる。より詳細には、第二可動部材１５０を既に動かしているにも関わらず、第一可動部材１４０をプレート状部材１３０の半周回転までの動きによる駆動力を伝達して動かすことができる。すなわち、可動部材（第一可動部材１４０及び第二可動部材１５０）が複数の動きをしても、当該可動部材を大きく動かすことが可能となる。
【符号の説明】
【０１１２】
１：遊技機，１００：可動役物装置，１１１ａ：中央開口縦部，１１１ｂ：中央開口横部，１１１：ベース中央開口部，１２０：モータ，１３０：プレート状部材，１３２：プレート第一軸部，１３３：プレート第二軸部，１４０：第一可動部材，１６１：第一右部開口部，１５０：第二可動部材，１８３：第二切り欠き部，１８５：第二上部軸部
【図１】
2014076082.tif 000003
【図２】
2014076082.tif 000004
【図３】
2014076082.tif 000005
【図４】
2014076082.tif 000006
【図５】
2014076082.tif 000007
【図６】
2014076082.tif 000008
【図７】
2014076082.tif 000009
【図８】
2014076082.tif 000010
【図９】
2014076082.tif 000011
【図１０】
2014076082.tif 000012
【図１１】
2014076082.tif 000013
【図１２】
2014076082.tif 000014
【図１３】
2014076082.tif 000015
【図１４】
2014076082.tif 000016
【図１５】
2014076082.tif 000017
【図１６】
2014076082.tif 000018
【図１７】
2014076082.tif 000019
【図１８】
2014076082.tif 000020
【図１９】
2014076082.tif 000021
【図２０】
2014076082.tif 000022
【図２１】
2014076082.tif 000023
【図２２】
2014076082.tif 000024